(57)【要約】【課題】インターネット、マルチメディアなどのサービスを縦状の画面及びワイド画面に便利に楽しめ得るだけではなく、用意で、且つ簡単に操作し得るディスプレイ位置可変型携帯用端末機及びその作動方法を提供する。【解決手段】情報を入力して通信を制御する本体と、該本体に移動可能に結合されるフォルダーと、情報が表示されるディスプレイユニットと、該ディスプレイユニットを回転可能にする回転手段と、を含んでディスプレイ位置可変型携帯用端末機を構成する。【選択図】図１
2005176372.tif 000002
【特許請求の範囲】
【請求項１】
情報を入力して通信を制御する本体と、
該本体に移動可能に結合されるフォルダーと、
情報が表示されるディスプレイユニットと、
該ディスプレイユニットを回転可能にする回転手段と、を含んで構成されることを特徴とするディスプレイ位置可変型携帯用端末機。
【請求項２】
前記ディスプレイユニットを前記フォルダーの長さ方向に移動可能にするスライディング手段をさらに含むことを特徴とする請求項１記載のディスプレイ位置可変型携帯用端末機。
【請求項３】
前記ディスプレイユニットの外形が所定幅及び長さを有して前記両側端又は一方先端が所定曲率半径を有する曲面から形成されて、前記フォルダーの一面に前記ディスプレイユニットが挿入されて回転可能に前記ディスプレイユニットの外形と相応する外形及び所定深さを有する収納部が備えられたことを特徴とする請求項１記載のディスプレイ位置可変型携帯用端末機。
【請求項４】
前記ディスプレイユニットを構成するディスプレイは直四角状に形成されて、前記ディスプレイの長さ方向がディスプレイユニットの長さ方向と同一線上に位置することを特徴とする請求項３記載のディスプレイ位置可変型携帯用端末機。
【請求項５】
前記回転手段は、前記フォルダー側に結合されるベース部の一面に所定長さを有する円筒状の軸部が形成されて、該軸部側に位置固定突起部が形成されたスライダーと、該軸部の外径より大きい内径及び所定長さを有する円筒部の一方側端にカム部が形成されて、前記円筒部の他方側にスプリングが装着される装着部が形成されて、前記スライダーに回転可能に結合されると共に、ディスプレイユニットに固定結合されるカムフォルダーと、該カムフォルダーの装着部に挿入されて、前記カムフォルダーをスライダー側に加圧するコイルスプリングと、前記カムフォルダーの円筒部に挿入されるスライダーの軸部の縁に固定結合されて、前記コイルスプリングを支持する固定部材と、を含んで構成されることを特徴とする請求項１記載のディスプレイ位置可変型携帯用端末機。
【請求項６】
前記カム部は、円筒部の縁に複数個の凸凹状の波状に形成されたことを特徴とする請求項５記載のディスプレイ位置可変型携帯用端末機。
【請求項７】
前記カム部は、円筒部の縁に複数個の凹部及び凸部分を有する四角状に形成されたことを特徴とする請求項５記載のディスプレイ位置可変型携帯用端末機。
【請求項８】
前記固定部材はナットであって、前記円筒部の縁に前記ナットが結合される螺旋山が形成されたことを特徴とする請求項５記載のディスプレイ位置可変型携帯用端末機。
【請求項９】
前記フォルダー及びディスプレイユニットに該ディスプレイユニットの回転位置を感知する感知手段が備えられたことを特徴とする請求項１記載のディスプレイ位置可変型携帯用端末機。
【請求項１０】
前記感知手段は、前記ディスプレイユニットに位置する磁石と、前記フォルダーに円状に配列されて、前記磁石の位置を感知する複数個のセンサーを含んで構成されたことを特徴とする請求項９記載のディスプレイ位置可変型携帯用端末機。
【請求項１１】
前記スライディング手段は、前記フォルダーの一面に該フォルダーの長さ方向に形成されるガイド溝と、該ガイド溝の両側壁に夫々形成される各スライディング溝と、前記回転手段の一方側に備えられて、前記スライディング溝に移動可能に挿入されるスライディング突起と、設定された位置で前記回転手段を固定可能にする着脱ユニットと、を含んで構成されることを特徴とする請求項１記載のディスプレイ位置可変型携帯用端末機。
【請求項１２】
前記着脱ユニットは、前記ガイド溝の両側壁に一対に備えられる板スプリング突起と、該スライディング突起側に形成される固定溝と、を含んで構成されることを特徴とする請求項１１記載のディスプレイ位置可変型携帯用端末機。
【請求項１３】
前記一対の板スプリング突起は、所定間隔を置いて３個所に位置することを特徴とする請求項１２記載のディスプレイ位置可変型携帯用端末機。
【請求項１４】
前記中央に位置する板スプリング突起は、ガイド溝の長さ方向の中間に位置することを特徴とする請求項１３記載のディスプレイ位置可変型携帯用端末機。
【請求項１５】
前記ガイド溝の一方側端に前記スライディング突起の離脱を防止する離脱防止カバーが備えられたことを特徴とする請求項１１記載のディスプレイ位置可変型携帯用端末機。
【請求項１６】
前記ディスプレイユニットに複数個のマイクユニットが備えられたことを特徴とする請求項１記載のディスプレイ位置可変型携帯用端末機期。
【請求項１７】
前記マイクユニットは二つであって、該二つのマイクユニットは、ディスプレイユニットの回転位置によって一つのみが作動するか、又は二つ全部が作動することを特徴とする請求項１６記載のディスプレイ位置可変型携帯用端末機。
【請求項１８】
前記二つのマイクユニットは、ディスプレイの両側に夫々位置することを特徴とする請求項１７記載のディスプレイ位置可変型携帯用端末機。
【請求項１９】
携帯用端末機の本体からフォルダーをオープンさせる第１段階と、
前記フォルダーに回転可能に結合されたディスプレイユニットを選択的に任意角度に回転させる第２段階と、
前記ディスプレイユニットの回転角度に応じて前記ディスプレイユニットに出力される画像を変化させる第３段階と、を順次行うことを特徴とするディスプレイ位置可変型携帯用端末機の作動方法。
【請求項２０】
前記第３段階後に前記ディスプレイユニットをフォルダーの長さ方向に選択的に移動させる段階を行うことを特徴とする請求項１９記載のディスプレイ位置可変型携帯用端末機の作動方法。
【請求項２１】
キーパッドなどの入力手段及び連結部材を含んで構成された本体と、
情報を表示するためのディスプレイユニットと、
前記ディスプレイユニット及び本体に結合されて、前記ディスプレイユニットを回転可能にする回転手段と、を含んで構成されることを特徴とするディスプレイ位置可変型携帯用端末機。
【請求項２２】
前記ディスプレイユニットと本体との間に、スライディング手段をさらに含むことを特徴とする請求項２１記載のディスプレイ位置可変型携帯用端末機。
【発明の詳細な説明】
【技術分野】
【０００１】
本発明は、携帯用端末機に係るもので、詳しくは、インターネット、マルチメディアなどのサービスを縦状の画面は勿論、ワイド画面に便利に楽しめ得るだけではなく、操作を容易で、且つ簡単に行い得るディスプレイ位置可変型携帯用端末機及びその作動方法に関するものである。
【背景技術】
【０００２】
一般に、携帯用端末機は使用者が簡便に所持しながらどこでも相手と音声送受信が可能な通信機器である。このような携帯用端末機は、情報通信機術が急速に発展することで、インターネット接続機能、TV受信機能、被写体を停画像や動画像で撮影するだけではなく、該撮影された停画像や動画像を相手と送受信する機能も可能になり、且つ、前記使用領域が拡大されている。
【０００３】
一方、このように構成された携帯用端末機は、前記機能が拡大されることで、画像情報を表示する技術が重要な問題として浮び上がっていて、且つ、これに対する研究開発も活発に進行されている。
【０００４】
現在、開発進行中である携帯用端末機一実施形態として、本出願人が出願した携帯用端末機（韓国特許公開２００３-００３０６１９）においては、図１０に示したように、情報を入力して通信を制御する本体１００と、情報を画像で出力するディスプレイ２１０が備えられるフォルダー２００と、該フォルダー２００が前記本体１００に一体化するように前記フォルダー２００と本体１００とをヒンジ結合するヒンジ結合手段３００と、該ヒンジ結合手段３００側と前記フォルダー２００側に備えられて、該フォルダー２００を該フォルダー２００の長さ方向を軸(axis)として回転可能にする旋回手段４００と、前記本体１００側に装着されるマイクユニット１１０と、前記フォルダー２００側に装着されるスピーカーユニット２２０と、を含んで構成される。
【０００５】
また、前記本体１００は、該本体１００の外形を形成する本体ケーシング１２０と、該本体ケーシング１２０の一面に配列される複数個の機能キー１３０と、前記本体ケーシング１２０の内部に装着される回路部品（図示されず）などを含んで構成される。そして、前記本体１００の一方側にバッテリー１４０が着脱可能に結合される。
【０００６】
前記フォルダー２００は、前記ディスプレイ１００が外部に露出されるように結合されるフォルダーケーシング２３０と、該フォルダーケーシング２３０の内部に装着される複数個の回路部品（図示されず）などを含んで構成される。前記スピーカーユニット２２０は、前記ディスプレイ２１０の上方部分に位置するように前記フォルダーケーシング２３０に装着される。
【０００７】
前記ディスプレイ２１０は、液晶画面に直四角状に形成されて、前記長さ方向が前記フォルダー２００の長さ方向と同一に配置される。
【０００８】
前記ヒンジ結合手段３００は、前記本体１００側とフォルダー２００側とを連結するヒンジ軸（図示されず）を含んで構成されて、該ヒンジ軸にカメラ１５０が装着される。
【０００９】
上記したように、携帯用端末機は、使用者が使用することなく、携帯する場合、前記フォルダー２００が前記本体１００の各機能キー１３０が位置した面に重なる状態に使用者が携帯するようになる。
【００１０】
そして、使用者が携帯用端末機を使用する場合、使用者は前記フォルダー２００を前記本体１００から開いて使用する。前記フォルダー２００が開かれる過程は、前記本体１００の一方側端に位置したヒンジ結合手段３００が軸(axis)を中央に角回転するようになり、該角回転されたフォルダー２００は、前記長さ方向が前記本体１００の長さ方向と同一線上に位置する。また、前記フォルダー２００に結合されたディスプレイ２１０も、前記長さ方向が前記本体１００の長さ方向と同一方向に位置する。そして、前記ディスプレイ２１０に表示される画像は、前記本体１００の正面が使用者の前に位置するように、使用者が前記本体１００を握って前記ディスプレイ２１０を見た時、横方向の長さが傾向に方向の長さより相対的に小さい縦型画面に表示される。
【００１１】
使用者が音声情報を相手と送受信する場合、前記本体１００側に装着されたマイクユニット１１０及び前記フォルダー２００側に装着されたスピーカーユニット２２０を使用するようになる。該スピーカーユニット２２０は、歌や電話のベル音などの音声情報のみを提供することもある。
【００１２】
一方、TVを受信するか、又はインターネットを通じた画像情報、例えば、映画を受信して鑑賞する場合、より優れた画像の生動感のために横方向長さが縦方向長さより相対的に長いワイド画面に転換するようになる。
【００１３】
このような場合、前記フォルダー２００が前記本体１００と一体になった状態で、ヒンジ結合手段３００を軸(axis)として前記フォルダー２００を前記本体１００に対して９０度回転させる。そして、９０度に回転された前記フォルダー２００を旋回手段４００を軸(axis)として９０度回転させる。
【００１４】
次いで、前記旋回手段４００により９０度回転されたフォルダー２００の前面は、前記本体１００の側面と同一面上に位置するだけではなく、前記フォルダー２００の長さ方向が本体１００の正面に対して垂直状態に位置するようになる。また、前記フォルダー２００に固定結合されたディスプレイ２１０も前記本体１００の側面と同一面上に位置するだけではなく、前記長さ方向が前記本体１００の正面に対して垂直状態に位置するようになる。
【００１５】
従って、前記本体１００の側面が使用者の前に位置され、該本体１００を握った状態で、前記ディスプレイ２１０の長さ方向が使用者の横方向に位置するようになる。該ディスプレイ２１０に出力される画像は、前記ディスプレイ２１０の位置に適合した横方向が長くて縦方向が短いワイド画面である。
【００１６】
前記本体１００にフォルダーの位置を感知する感知手段（図示されず）と該感知手段により感知されたフォルダー２００の位置に応じて出力される映像を位置を変化させる映像出力補正手段（図示されず）が備えられて、前記フォルダー２００の位置が変化することで、該フォルダー２００の位置変化に応じて出力される映像の位置を変化させて出力することで、該フォルダー２００の位置変化に応じて前記ディスプレイ２１０に傾斜した画面や逆になった画面に表示されることなく、縦方向になった正常の画面が表示されて、使用者が便利に画像を鑑賞し得るようになる。
【００１７】
一方、使用者が前記カメラ１５０を利用して停画像や動画像の情報を入力する場合にも、上記したように、前記ディスプレイ２１０の長さ方向を水平方向に位置させて、横方向の長さが縦方向の長さより相対的にワイド画像情報を入力するようになる。
上記したように、携帯用端末機は、映画を見たりTVを受信する時、縦型画像を見ることができるだけではなく、横の長さが相対的に長いワイド画像で見ることができるので、使用者に一層改善されたサービスの提供が可能になる。
【特許文献１】韓国特許公開２００３-００３０６１９
【発明の開示】
【発明が解決しようとする課題】
【００１８】
然るに、このような従来の携帯用端末機においては、ワイド画面を鑑賞するための操作が複雑である。即ち、前記ディスプレイ２１０が固定結合されたフォルダー２００をヒンジ結合手段３００を軸(axis)として９０度回転させて、次いで、前記旋回手段４００を軸(axis)として９０度回転させる。そして、本体１００を９０度回転させて該本体１００の側面が使用者の正面に位置するように該本体１００を回転させて握るようになるため、携帯用端末機の操作が複雑で、且つ煩雑であるという不都合な点があった。
【００１９】
また、使用者がワイド画面を鑑賞する間、使用者は、前記本体１００を立てて握るしかないため、上映時間の長い映画を見たりプログラム時間が長いTVを視聴する場合、非常に不便になるという不都合な点があった。また、ワイド画面鑑賞の途中、使用者が携帯用端末機を落とした場合、前記フォルダー２００が前記本体１００に対して垂直状態に位置するため、構造的強度が相対的に弱くなり、携帯用端末機の構成部品が容易に破損されるという不都合な点があった。
【００２０】
本発明は、このような従来の課題に鑑みてなされたもので、インターネット、マルチメディアなどのサービスを縦状の画面及びワイド画面に便利に楽しめるだけではなく、用意で、且つ簡単に操作し得るディスプレイ位置可変型携帯用端末機及びその作動方法を提供することを目的とする。
【００２１】
また、本発明は、ワイド画面を鑑賞する時に必要によって地面や任意の物体上に置いて該ワイド画面を鑑賞し得るようにするだけではなく、音響効果をより向上し得るディスプレイ位置可変型携帯用端末機及びその作動方法を提供することを目的とする。
【課題を解決するための手段】
【００２２】
このような目的を達成するため、本発明に係るディスプレイ位置可変型携帯用端末機においては、情報を入力して通信を制御する本体と、該本体に移動可能に結合されるフォルダーと、情報が表示されるディスプレイユニットと、該ディスプレイユニットを回転可能にする回転手段と、該ディスプレイユニットをフォルダーの長さ方向に移動可能にするスライディング手段と、を含んで構成されることを特徴とする。
【００２３】
また、本発明に係るディスプレイ位置可変型携帯用端末機の作動方法においては、携帯用端末機の本体からフォルダーをオープンさせる第１段階と、前記フォルダーに回転可能に結合されたディスプレイユニットを選択的に任意角度に回転させる第２段階と、前記ディスプレイユニットの回転角度に応じて前記ディスプレイユニットに出力される画像を変化させる第３段階と、を順次行うことを特徴とする。
【００２４】
従って、本発明は、以下を提供する：
１．  情報を入力して通信を制御する本体と、
該本体に移動可能に結合されるフォルダーと、
情報が表示されるディスプレイユニットと、
該ディスプレイユニットを回転可能にする回転手段と、を含んで構成されることを特徴とするディスプレイ位置可変型携帯用端末機。
２．  前記ディスプレイユニットを前記フォルダーの長さ方向に移動可能にするスライディング手段をさらに含むことを特徴とする項目１記載のディスプレイ位置可変型携帯用端末機。
３．  前記ディスプレイユニットの外形が所定幅及び長さを有して前記両側端又は一方先端が所定曲率半径を有する曲面から形成されて、前記フォルダーの一面に前記ディスプレイユニットが挿入されて回転可能に前記ディスプレイユニットの外形と相応する外形及び所定深さを有する収納部が備えられたことを特徴とする項目１記載のディスプレイ位置可変型携帯用端末機。
４．  前記ディスプレイユニットを構成するディスプレイは直四角状に形成されて、前記ディスプレイの長さ方向がディスプレイユニットの長さ方向と同一線上に位置することを特徴とする項目３記載のディスプレイ位置可変型携帯用端末機。
５．  前記回転手段は、前記フォルダー側に結合されるベース部の一面に所定長さを有する円筒状の軸部が形成されて、該軸部側に位置固定突起部が形成されたスライダーと、該軸部の外径より大きい内径及び所定長さを有する円筒部の一方側端にカム部が形成されて、前記円筒部の他方側にスプリングが装着される装着部が形成されて、前記スライダーに回転可能に結合されると共に、ディスプレイユニットに固定結合されるカムフォルダーと、該カムフォルダーの装着部に挿入されて、前記カムフォルダーをスライダー側に加圧するコイルスプリングと、前記カムフォルダーの円筒部に挿入されるスライダーの軸部の縁に固定結合されて、前記コイルスプリングを支持する固定部材と、を含んで構成されることを特徴とする項目１記載のディスプレイ位置可変型携帯用端末機。
６．  前記カム部は、円筒部の縁に複数個の凸凹状の波状に形成されたことを特徴とする項目５記載のディスプレイ位置可変型携帯用端末機。
７．  前記カム部は、円筒部の縁に複数個の凹部及び凸部分を有する四角状に形成されたことを特徴とする項目５記載のディスプレイ位置可変型携帯用端末機。
８．  前記固定部材はナットであって、前記円筒部の縁に前記ナットが結合される螺旋山が形成されたことを特徴とする項目５記載のディスプレイ位置可変型携帯用端末機。
９．  前記フォルダー及びディスプレイユニットに該ディスプレイユニットの回転位置を感知する感知手段が備えられたことを特徴とする項目１記載のディスプレイ位置可変型携帯用端末機。
１０．  前記感知手段は、前記ディスプレイユニットに位置する磁石と、前記フォルダーに円状に配列されて、前記磁石の位置を感知する複数個のセンサーを含んで構成されたことを特徴とする項目９記載のディスプレイ位置可変型携帯用端末機。
１１．  前記スライディング手段は、前記フォルダーの一面に該フォルダーの長さ方向に形成されるガイド溝と、該ガイド溝の両側壁に夫々形成される各スライディング溝と、前記回転手段の一方側に備えられて、前記スライディング溝に移動可能に挿入されるスライディング突起と、設定された位置で前記回転手段を固定可能にする着脱ユニットと、を含んで構成されることを特徴とする項目１記載のディスプレイ位置可変型携帯用端末機。
１２．  前記着脱ユニットは、前記ガイド溝の両側壁に一対に備えられる板スプリング突起と、該スライディング突起側に形成される固定溝と、を含んで構成されることを特徴とする項目１１記載のディスプレイ位置可変型携帯用端末機。
１３．  前記一対の板スプリング突起は、所定間隔を置いて３個所に位置することを特徴とする項目１２記載のディスプレイ位置可変型携帯用端末機。
１４．  前記中央に位置する板スプリング突起は、ガイド溝の長さ方向の中間に位置することを特徴とする項目１３記載のディスプレイ位置可変型携帯用端末機。
１５．  前記ガイド溝の一方側端に前記スライディング突起の離脱を防止する離脱防止カバーが備えられたことを特徴とする項目１１記載のディスプレイ位置可変型携帯用端末機。
１６．  前記ディスプレイユニットに複数個のマイクユニットが備えられたことを特徴とする項目１記載のディスプレイ位置可変型携帯用端末機期。
１７．  前記マイクユニットは二つであって、該二つのマイクユニットは、ディスプレイユニットの回転位置によって一つのみが作動するか、又は二つ全部が作動することを特徴とする項目１６記載のディスプレイ位置可変型携帯用端末機。
１８．  前記二つのマイクユニットは、ディスプレイの両側に夫々位置することを特徴とする項目１７記載のディスプレイ位置可変型携帯用端末機。
１９．  携帯用端末機の本体からフォルダーをオープンさせる第１段階と、
前記フォルダーに回転可能に結合されたディスプレイユニットを選択的に任意角度に回転させる第２段階と、
前記ディスプレイユニットの回転角度に応じて前記ディスプレイユニットに出力される画像を変化させる第３段階と、を順次行うことを特徴とするディスプレイ位置可変型携帯用端末機の作動方法。
２０．  前記第３段階後に前記ディスプレイユニットをフォルダーの長さ方向に選択的に移動させる段階を行うことを特徴とする項目１９記載のディスプレイ位置可変型携帯用端末機の作動方法。
２１．  キーパッドなどの入力手段及び連結部材を含んで構成された本体と、
情報を表示するためのディスプレイユニットと、
前記ディスプレイユニット及び本体に結合されて、前記ディスプレイユニットを回転可能にする回転手段と、を含んで構成されることを特徴とするディスプレイ位置可変型携帯用端末機。
２２．  前記ディスプレイユニットと本体との間に、スライディング手段をさらに含むことを特徴とする項目２１記載のディスプレイ位置可変型携帯用端末機。
【発明の効果】
【００２５】
本発明に係るディスプレイ位置可変型携帯用端末機及びその作動方法においては、縦型画面を一般的な携帯用端末機のように利用することは勿論、使用者が画像情報が表示されるディスプレイユニット７００をただ回転させることで、インターネット、マルチメディアなどのサービスをワイド画面に楽しめるので、操作が簡単で、容易で、且つ使用の便利性を向上し得るという効果がある。
【００２６】
また、ワイド画面を鑑賞する時に、必要によって地面や任意の物体上に置いて前記ワイド画面を鑑賞し得るだけではなく、音響効果をより向上させることで、生動感のあるワイド画面を鑑賞し得るという効果がある。若し、ワイド画面の鑑賞の途中に、携帯用端末機を落とした場合、前記ディスプレイユニット７００がフォルダー６００に面接触状態に結合されて構造的強度が大きくなることで、部品が破損されることを抑制するようになり、信頼性を向上し得るという効果がある。
【発明を実施するための最良の形態】
【００２７】
以下、本発明に係るディスプレイ位置可変型携帯用端末機及びその作動方法においては、図１及び図２に示したように、情報を入力して通信を制御する本体５００と、該本体５００に移動可能に結合されるフォルダー６００と、画像情報が表示されるディスプレイユニット７００と、該ディスプレイユニット７００を回転可能にする回転手段８００と、前記ディスプレイユニット７００をフォルダー６００の長さ方向に移動可能にするスライディング手段と、を含んで構成される。
【００２８】
また、前記本体５００は、所定の幅及び長さを有するように形成されて、前記内部に各回路部品が備えられた本体ケーシング５１０と、該本体ケーシング５１０の前面に備えられた複数個の機能キー５２０と、前記本体ケーシング５１０の前面側に装着されるカメラ５３０及びフレッシュ５４０と、前記本体ケーシング５１０の後面に着脱可能に装着されるバッテリー５５０と、前記本体ケーシング５１０の前面側に装着されるマイクユニット５６０と、を含んで構成される。
【００２９】
また、前記本体５００に前記ディスプレイユニット７００の位置変化によって前記出力される画像を変化させる映像出力補正手段が備えられて、このような技術は本出願人が上記した先出願した技術に含まれている。
【００３０】
前記フォルダー６００は、ヒンジ結合手段９００により前記本体５００に結合されて、前記フォルダー６００は、前記ヒンジ結合手段９００を軸(axis)として所定角に回転可能になる。これは一般的な技術である。
【００３１】
前記フォルダー６００は、所定厚さ、幅及び長さを有するフォルダーケーシング６１０の一面に収納部６２０が形成されて、該収納部６２０は、前記フォルダーケーシング６１０の一面に前記ディスプレイユニット７００が挿入されて、回転可能に前記ディスプレイユニット７００の外形と相応して所定深さを有するように形成される。前記収納部６２０は、前記フォルダーケーシング６１０からヒンジ結合手段９００が位置する反対側に位置するように形成される。前記収納部６２０の下面は平面で、該収納部６２０により前記フォルダーケーシング６１０に突条部６２１が形成されて、該突条部６２１は所定曲率半径を有する曲面から形成される。
【００３２】
また、前記ディスプレイユニット７００は、画像情報が画面に表示されるディスプレイ７１０と、該ディスプレイ７１０が固定結合される回転型ケーシング７２０と、該回転型ケーシング７２０の内部に装着される各部品（図示されず）と、該回転型ケーシング７２０に装着されるスピーカーユニット７３０と、を含んで構成される。
【００３３】
前記回転型ケーシング７２０は、前記フォルダー６００の幅と相応する幅及び所定の長さを有して構成され、前記一方側が所定曲率を有する曲面から形成されて、前記反対側は曲面又は曲面以外の形状から構成される。前記回転型ケーシング７２０の厚さは、前記収納部６２０の深さと同様に形成されて、前記回転型ケーシング７２０の一方側曲面の曲率半径は、前記収納部突条部６２１の曲率半径と同様に形成される。
【００３４】
そして、前記回転型ケーシング７２０の前面にディスプレイ７１０が装着されて、該ディスプレイ７１０の両側にスピーカーユニット７３０が夫々装着される。スピーカーユニット７３０は二つから構成されることが好ましい。該二つのスピーカーユニット７３０は、前記ディスプレイユニット７００の回転位置によって一つのみが作動するか、又は二つの全てが作動するようになる。前記スピーカーユニット７３０は二つ以上設置されることができるし、且つ、前記ディスプレイユニット７００から分離されて、前記フォルダー６００や本体５００の側に装着することもできる。
【００３５】
前記ディスプレイ７１０は直四角状に形成されて、該ディスプレイ７１０の長さ方向が回転型ケーシング７２０の長さ方向と一致するように結合される。
【００３６】
前記回転手段８００は、前記フォルダー６００側に結合されるベース部８１１の一面に所定長さを有する円筒状の軸部８１２が形成されて、該軸部８１２側に位置固定突起部８１３が形成されたスライダー８１０と、該軸部８１２の外径より大きい内径及び所定長さを有する円筒部８２１の一方側端に所定形状のカム部８２２が形成されて、前記円筒部８２１の他方側にスプリングが装着される装着部８２３が形成されて、前記スライダー８１０に回転可能に結合されると共に、前記ディスプレイユニット７００に固定結合されるカムフォルダー８２０と、該カムフォルダー８２０の装着部８２３に挿入されて、前記カムフォルダー８２０を前記スライダー８１０側に加圧するコイルスプリング８３０と、前記カムフォルダー８２０の円筒部８２１に挿入されるスライダーの軸部８１２の縁に固定結合されて、前記コイルスプリング８３０を支持する固定部材８４０と、を含んで構成される。
【００３７】
前記スライダーのベース部８１１は、所定厚さ及び面積を有する四角状に形成されて、前記軸部８１２は前記ベース部８１１の上面に垂直状に形成される。前記軸部８１２が位置するベース部８１１に貫通孔（図示されず）が形成されて、前記ディスプレイユニット７００と本体５００とを連結するワイヤー（図示されず）が前記軸部８１２の内部及びベース部８１１の貫通孔に挿入される。
【００３８】
前記カムフォルダーのカム部８２２は、円筒部８２１の縁に複数個の凸凹状の波状に形成される。該波形の数によって前記カムフォルダー８２０が一回で回転する回転角が決定される。前記波状数が多くなることで、カムフォルダー８２０が一回ずつ回転される角が小さくなる。
前記カム部８２２の他の変形例として、図３に示したように、前記円筒部８２１の縁に複数個の四角状の凸部と凹部とが交互に形成される。
【００３９】
前記コイルスプリング８３０は、外径が所定圧縮コイルスプリングであり、前記内径は前記スライダーの軸部８１２の外径より大きい。
【００４０】
前記固定部材８４０はナットであり、前記軸部８１２の一方端の外周面に前記ナットが結合される螺旋山が形成される。前記ナットの外径は、前記コイルスプリング８３０の外径より同様であるか、又は大きい。
【００４１】
前記カムフォルダーの円筒部８２１外周面の両側に所定厚さ及び長さを有する結合部８２４が夫々形成されて、該結合部８２４に各貫通孔８２５が貫通形成される。そして、図４に示したように、前記回転型ケーシング７２０の下面に、前記結合部の各貫通孔８２５と相応するように各螺旋孔７２１が夫々形成される。そして、各螺旋孔７２１の間にワイヤー（図示されず）が位置する貫通孔７２２が形成される。
【００４２】
以下、前記回転手段８００の結合に対し、次のように説明する。
【００４３】
前記スライダーの軸部８１２が前記カムフォルダーの円筒部８２１に挿入されて、前記カムフォルダーの装着部８２３にコイルスプリング８３０が装着されて、前記固定部材８４０が前記軸部８１２の縁に固定結合される。そして、複数個の螺旋８５０が前記カムフォルダーの結合部８２４から形成された各貫通孔８２５に夫々挿入されて、回転型ケーシング７２０から形成された各螺旋孔７２１に夫々締結されることで、前記カムフォルダー８２０が回転型ケーシング７２０に固定結合される。前記カムフォルダーのカム部８２２は、前記位置固定突起部８１３に噛合する共に、前記カムフォルダー８２０は、前記コイルスプリング８３０の弾性力により前記スライダー８１０に密着される。このように、前記回転手段８００が前記ディスプレイユニット７００と結合される。
【００４４】
そして、前記回転手段８００を構成する前記スライダー８１０が前記スライディング手段により前記フォルダー６００の収納部６２０側にスライディング可能に結合されて、前記ディスプレイユニット７００が前記収納部６２０に挿入される。
【００４５】
前記フォルダー６００とディスプレイユニット７００に該ディスプレイユニット７００の回転位置を感知する感知手段が備えられる。該感知手段は、前記ディスプレイユニット７００に位置する磁石７４０と、前記フォルダー６００に円状に配列されて、前記磁石の磁場を感知する複数個のセンサー６３０と、を含んで構成される。
【００４６】
前記各センサー６３０は、円状を成すように所定間隔をおいて配列される。前記磁石７４０は、回転型ケーシング７２０の後面側に装着される。前記磁石７４０は、所定間隔をおいて配置されるように二つから構成されることが好ましい。前記各磁石７４０の間隔は、前記各センサー６３０により形成される円の直径と同様であり、前記各センサー６３０が配列される円の中央と前記二つの磁石７４０間の中央とは一致するようになる。前記センサー６３０の数によって磁石７４０が装着されたディスプレイユニット７００の回転位置がより正確に感知される。
【００４７】
前記スライディング手段は、前記フォルダー６００の一面に該フォルダー６００の長さ方向に形成されるガイド溝６４０と、該ガイド溝６４０の両側壁に夫々形成される各スライディング溝６４１と、前記回転手段８００の一方側に備えられて、前記スライディング溝６４１に移動可能に挿入されるスライディング突起８１４と、設定された位置で前記スライディング突起８１４が固定可能に着脱ユニットと、を含んで構成される。
【００４８】
前記ガイド溝６４０は、前記フォルダーケーシングの収納部６２０の底面に形成される。前記ガイド溝６４０は、所定幅及び深さを有するように形成される。前記スライディング溝６４１は、前記ガイド溝６４０の両側壁に所定幅及び深さを有するように形成されて、前記壁の長さ方向に形成される。
【００４９】
前記スライディング突起８１４は、前記回転手段８００を構成するスライダー８１０のベース部８１１の両側面に夫々長さ方向に形成される。前記スライディング突起８１４は、前記スライディング溝６４１に挿入されるように所定厚さ及び高さから形成される。
前記着脱ユニットは、前記ガイド溝６４０の両側壁に夫々構えられる複数個の板スプリング突起６５０と、前記スライディング突起８１４側に形成される固定溝８１５と、を含んで構成される。
【００５０】
前記各板スプリング突起６５０は、前記ガイド溝６４０の両側壁に対向して位置する一対の所定間隔をおいて３個所に配列される。前記中央に位置する一対の板スプリング突起６５０はガイド溝６４０の長さ方向の中間に位置することが好ましい。前記一対の板スプリング突起６５０は、３個所の以外にも複数所に配列することもできる。
【００５１】
前記固定溝８１５は、スライディング突起８１４の中央に位置するように形成されて、該形状は、前記板スプリング突起６５０の形状と相応するように形成される。
【００５２】
前記スライダーのスライディング突起８１４が前記ガイド溝６４０の内壁に夫々形成されたスライディング溝６４１に夫々挿入される。前記スライディング突起８１４に形成された各固定溝８１５が前記スライディング溝６４１に備えられた一対の板スプリング突起６５０に夫々挿入固定される。
【００５３】
前記ガイド溝６４０の一方側端に前記スライディング突起８１４の離脱を防止する離脱防止カバー６６０が備えられる。該離脱防止カバー６６０は、前記フォルダー６００の側部に前記ガイド溝６４０を防止するように複数個の螺旋６７０により固定結合される。
【００５４】
以下、本発明に係るディスプレイ位置可変型携帯用端末機の動作に対し、説明する。
【００５５】
先ず、本発明に係るディスプレイ位置可変型携帯用端末機を一般的に使用する時、他の携帯用端末機と共に本体５００から前記フォルダー６００を開いて使用するようになる。この時、前記ディスプレイユニット７００の長さ方向と前記フォルダー６００の長さ方向とが一致した状態になる。そして、ディスプレイユニット７００に備えられた二つのスピーカーユニット７３０は、長さ方向の端部に位置するスピーカーユニット７３０のみが作動するようになる。
【００５６】
前記ディスプレイユニット７００は、コイルスプリングがカムフォルダー８２０を弾性支持して前記カム部８２２の凹部が前記位置設定突起部８１３に掛止されて固定されることで、回転が防止されて、また、前記スライダーの固定溝８１５と板スプリング突起６５０とが噛合結合されるため、スライディングが防止される。
【００５７】
そして、ワイド画面で映画を鑑賞するか、又はTVを受信する場合、図５に示したように、使用者は、前記フォルダー６００を前記本体５００から開いて前記フォルダー６００に備えられたディスプレイユニット７００を９０度に回転される。使用者が該ディスプレイユニット７００を回転させることで、前記コイルスプリング８３０により弾性支持されるカムフォルダーのカム部８２２が位置固定突起部８１３に掛止されて回転することで、前記ディスプレイユニット７００が９０度回転された位置で前記カム部８２２の凹部が位置固定突起部８１３に掛止されて固定される。
【００５８】
前記ディスプレイユニット７００が９０度回転された状態で、前記ディスプレイユニット７００の長さ方向が本体５００及びフォルダー６００の長さ方向に対して垂直方向に位置することで、前記本体５００の正面が使用者の前に位置するように使用者が該本体５００を握った状態で前記ディスプレイ７１０の長さ方向が使用者に対して水平方向に位置するようになる。即ち、前記ディスプレイユニット７００がワイド画面状態となる。
【００５９】
また、該ディスプレイユニット７００が回転することで、該ディスプレイユニット７００に装着された磁石７４０の位置が変化し、該磁石７４０の位置変化が各センサー６３０により感知されて、前記本体５００に伝達される。前記ディスプレイユニット７００の変化された位置が感知手段である磁石７４０及び各センサー６３０により本体５００に伝達されながら前記本体５００に備えられた映像出力補正手段により出力される画面が補正されて、前記ディスプレイ７１０の位置に合うようにワイド画面に出力される。
【００６０】
次いで、前記ディスプレイユニット７００が水平状態に位置することで、二つのスピーカーユニット７３０が水平方向に前記ディスプレイ７１０の両側に位置するようになる。この時、サウンド効果を向上させるため、二つのスピーカーユニット７３０が全部作動される。
【００６１】
一方、このような状態で、使用者が携帯用端末機を長時間持っていることが不便で、机の上や地面に置く場合、９０度回転して水平状態に位置した前記ディスプレイユニット７００を、図６に示したように、下方向であるヒンジ結合手段９００側に押すようになる。前記ディスプレイユニット７００を下に押すと、該ディスプレイユニット７００の下部に結合されたスライダーの固定溝８１５と噛合された各板スプリング突起６５０が変形されながら前記各固定溝８１５が各板スプリング突起６５０から離脱されながら前記スライダー８１０が前記ガイド溝６４０に沿って下に動くようになる。次いで、前記スライダー８１０が前記ガイド溝６４０の下側に位置すると、前記ガイド溝６４０の下側に位置した板スプリング突起６５０とスライダーの各固定溝８１５とが噛合され、前記スライダー８１０が固定されることで、前記ディスプレイユニット７００が前記フォルダー６００の下側に固定される。
【００６２】
このような状態で、図７に示したように、携帯用端末機を机の上や地面上に置くと、重さの中央が前記フォルダー６００の下に位置するようになり、安定した状態に置かれるようになる。
次いで、映画鑑賞やTV受信が終わって縦型画面に転換する場合、使用者が前記ディスプレイユニット７００を前記フォルダー６００の中央に引き上げて前記ディスプレイユニット７００を反対方向に９０度回転させて前記ディ前記スプレイユニット７００を元に位置させる。この時、前記ディスプレイユニット７００の回転が感知手段により感知されて、前記ディスプレイ７１０に出力される画面が補正されて縦型画面が出力される。
【００６３】
一方、本発明の他の実施例として、前記スライディング手段を排除した状態で前記回転手段８００を構成するスライダー８１０をフォルダー収納部６２０の地面に固定することができる。この時、前記ディスプレイユニット７００は、前記フォルダー６００の上下方向に動くことなく、回転のみが可能になる。
【００６４】
また、本発明は、前記フォルダー６００が前記本体５００に長さ方向に上下に動きながら前記本体５００を開閉する構造に適用することができる。即ち、本体に長さ方向に移動可能にフォルダーが結合されて、該フォルダーに画像情報が出力されるディスプレイユニットが位置すると、前記フォルダーとディスプレイユニット間に前記ディスプレイユニットを回転可能にする回転手段が結合される。
【００６５】
本発明のさらに他の実施形態は、バータイプの携帯用端末機に適用できるもので、図８に示したように、キーパッドなどの入力手段１１１０及び連結部材１１２０を含んで構成された本体１１１０と、情報を表示するためのディスプレイユニット１２００と、前記ディスプレイユニット１２００及び本体１１００に結合されて、前記ディスプレイユニット１２００を回転可能にする回転手段１３００と、を含んで構成される。また、前記ディスプレイユニット１２００と本体１１００との間に、前記ディスプレイユニット１２００を前記本体１１００に対しスライディング運動可能にするスライディング手段１４００が結合される。
【００６６】
前記回転手段１３００及びスライディング手段１４００は、前述したように構成される。
前述したような構成により、図９に示したように、前記ディスプレイユニット１２００は、前記本体１１００に対し回転可能になる。
【００６７】
未説明符号１２１０は、スピーカーである。
【００６８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００６９】
【図１】本発明に係るディスプレイ位置可変型携帯用端末機の一実施形態を示した斜視図である。
【図２】前記ディスプレイ位置可変型携帯用端末機を部分分解して示した斜視図である。
【図３】前記ディスプレイ位置可変型携帯用端末機を構成するカム部の他の実施例を示した正面図である。
【図４】前記ディスプレイ位置可変型携帯用端末機を構成するディスプレイユニットを示した斜視図である。
【図５】本発明に係るディスプレイ位置可変型携帯用端末機の作動状態を順序的に示した正面図である。
【図６】本発明に係るディスプレイ位置可変型携帯用端末機の作動状態を示した正面図である。
【図７】本発明に係るディスプレイ位置可変型携帯用端末機の作動状態を示した側面図である。
【図８】本発明に係るディスプレイ位置可変型携帯用端末機のさらに他の実施形態を示した正面図である。
【図９】本発明に係るディスプレイ位置可変型携帯用端末機のさらに他の実施形態の作動状態を示した正面図である。
【図１０】従来の携帯用端末機を示した斜視図である。
【符号の説明】
【００７０】
５００、１１００：本体
６００：フォルダー
６２０：収納部 
６４０：ガイド溝
６４１：スライディング溝 
６５０：板スプリング突起
６６０：離脱防止カバー
７００、１２００：ディスプレイユニット
７３０：マイクユニット
８００：回転手段
８１０：スライダー
８１１：ベース部
８１２：軸部
８１３：位置固定突起部
８１４：スライディング突起
８１５：固定溝
８２０：カムフォルダー
８２１：円筒部
８２２：カム部
８２３：装着部
８３０：コイルスプリング
８４０：固定部材
１１１０：入力手段
１１２０：連結部材
【図１】
2005176372.tif 000003
【図２】
2005176372.tif 000004
【図３】
2005176372.tif 000005
【図４】
2005176372.tif 000006
【図５】
2005176372.tif 000007
【図６】
2005176372.tif 000008
【図７】
2005176372.tif 000009
【図８】
2005176372.tif 000010
【図９】
2005176372.tif 000011
【図１０】
2005176372.tif 000012